【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
無線通信システムにおける基地局の動作方法であって、
多数の送信ビームを用いて基準信号を端末に伝送する過程と、
前記端末から多数の候補送信ビームの中から少なくとも一つの候補送信ビームに対する情報を受信する過程と、
データ伝送のための、第1の送信ビームに対する情報を含む制御情報を生成する過程と、
第2の送信ビームを用いて前記制御情報を伝送する過程と、
前記第1の送信ビームを用いて前記データを伝送する過程と、
を含む、方法。
【請求項２】
前記少なくとも一つの候補送信ビームに対する情報に基づいて前記多数の送信ビームの中から少なくとも一つの送信ビームを選択する過程をさらに含み、
前記少なくとも一つの送信ビームは、前記第1の送信ビームと前記第2の送信ビームを含む、
請求項１に記載の方法。
【請求項３】
前記多数の候補送信ビームは、
前記基準信号の受信信号強度によって前記多数の送信ビームの中から前記端末によって選択される、請求項2に記載の方法。
【請求項４】
前記多数の送信ビームを用いて伝送される前記基準信号の受信信号強度は、
予め定められた基準値より大きい、請求項3に記載の方法。
【請求項５】
前記多数の送信ビームの中から少なくとも一つの送信ビームを選択する過程は、
前記少なくとも一つの候補送信ビームに対する情報に基づいて、前記多数の送信ビームの中から一つの送信ビームを前記第2の送信ビームとして選択する過程と、
前記少なくとも一つの候補送信ビームに対する情報に基づいて、前記多数の送信ビームの中からもう一つの送信ビームを前記第1の送信ビームとして選択する過程とを含み、
前記一つの送信ビームを用いて伝送される前記基準信号の受信信号強度は、
最大の受信信号強度を含む、請求項4に記載の方法。
【請求項６】
前記多数の送信ビームの中から少なくとも一つの送信ビームを選択する過程は、
前記少なくとも一つの候補送信ビームに対する情報に基づいて、前記多数の送信ビームの中から一つの送信ビームを前記第1の送信ビームと前記第2の送信ビームとして選択する過程を含み、
前記一つの送信ビームを用いて伝送される前記基準信号の受信信号強度は、
最大の受信信号強度を含む、請求項4に記載の方法。
【請求項７】
前記多数の送信ビームの中から少なくとも一つの送信ビームを選択する過程は、
前記少なくとも一つの候補送信ビームに対する情報に基づいて、前記多数の送信ビームの中から一つの送信ビームを前記第2の送信ビームとして選択する過程と、
前記少なくとも一つの候補送信ビームに対する情報に基づいて、前記多数の送信ビームの中からもう一つの送信ビームを前記第1の送信ビームとして選択する過程とを含む、請求項4に記載の方法。
【請求項８】
前記制御情報は、
前記第1の送信ビームのためのビームインデックスを含む、請求項１に記載の方法。
【請求項９】
前記制御情報は、
以前に伝送された制御情報を更新するための情報を含む、請求項１に記載の方法。
【請求項１０】
前記制御情報は、
データ伝送のための資源の割り当て情報をさらに含む、請求項１に記載の方法。
【請求項１１】
前記少なくとも一つの候補下向きリンク送信ビームに対応する前記端末での一つ以上の受信ビームを指示する指示情報を受信する過程をさらに含む、請求項１に記載の方法。
【請求項１２】
前記指示情報は、
前記少なくとも一つの候補送信ビームのうちの任意のビームが、最適の受信ビームに対応するか否かを指示する情報を含む、請求項11に記載の方法。
【請求項１３】
前記指示情報は、
前記少なくとも一つの候補送信ビームに対応するビットから構成されるビットマップ形式を持ち、
各ビットは、
各候補送信ビームに対応する受信ビームが、最適の受信ビームであるか否かを指示する情報を含む、請求項11に記載の方法。
【請求項１４】
無線通信システムにおける基地局の装置であって、
送信機と、
受信機と、
制御部と、を含み、
前記送信機は、多数の送信ビームを用いて基準信号を端末に伝送し、
前記受信機は、前記端末から多数の候補送信ビームの中から少なくとも一つの候補送信ビームに対する情報を受信し、
前記制御部は、データ伝送のための、第1の送信ビームに対する情報を含む制御情報を生成し、
前記送信機は、第2の送信ビームを用いて前記制御情報を伝送し、前記第1の送信ビームを用いて前記データを伝送する、装置。
【請求項１５】
前記制御情報は、
前記少なくとも一つの候補送信ビームに対する情報に基づいて前記多数の送信ビームの中から少なくとも一つの送信ビームを選択する動作をさらに実行し、
前記少なくとも一つの送信ビームは、前記第1の送信ビームと前記第2の送信ビームを含む、請求項14に記載の装置。
【請求項１６】
前記多数の候補送信ビームは、
前記基準信号の受信信号強度によって前記多数の送信ビームの中から前記端末によって選択される、請求項15に記載の装置。
【請求項１７】
前記多数の送信ビームを用いて伝送される前記基準信号の受信信号強度は、
予め定められた基準値より大きい、請求項16に記載の装置。
【請求項１８】
前記制御情報は、
前記少なくとも一つの候補送信ビームに対する情報に基づいて、前記多数の送信ビームの中から一つの送信ビームを前記第2の送信ビームとして選択し、
前記少なくとも一つの候補送信ビームに対する情報に基づいて、前記多数の送信ビームの中からもう一つの送信ビームを前記第1の送信ビームとして選択し、
前記一つの送信ビームを用いて伝送される前記基準信号の受信信号強度は、
最大の受信信号強度を含む、請求項17に記載の装置。
【請求項１９】
前記制御情報は、
前記少なくとも一つの候補送信ビームに対する情報に基づいて、前記多数の送信ビームの中から一つの送信ビームを前記第1の送信ビームと前記第2の送信ビームとして選択し、
前記一つの送信ビームを用いて伝送される前記基準信号の受信信号強度は、
最大の受信信号強度を含む、請求項17に記載の装置。
【請求項２０】
前記制御情報は、
前記少なくとも一つの候補送信ビームに対する情報に基づいて、前記多数の送信ビームの中から一つの送信ビームを前記第2の送信ビームとして選択し、
前記少なくとも一つの候補送信ビームに対する情報に基づいて、前記多数の送信ビームの中からもう一つの送信ビームを前記第1の送信ビームとして選択する、請求項17に記載の装置。
【請求項２１】
前記制御情報は、
前記第1の送信ビームのためのビームインデックスを含む、請求項１4に記載の装置。
【請求項２２】
前記制御情報は、
以前に伝送された制御情報を更新するための情報を含む、請求項１4に記載の装置。
【請求項２３】
前記制御情報は、
データ伝送のための資源の割り当て情報をさらに含む、請求項１4に記載の装置。
【請求項２４】
前記受信機は、
前記少なくとも一つの候補下向きリンク送信ビームに対応する前記端末での一つ以上の受信ビームを指示する指示情報をさらに受信する、請求項１4に記載の装置。
【請求項２５】
前記指示情報は、
前記少なくとも一つの候補送信ビームのうちの任意のビームが、最適の受信ビームに対応するか否かを指示する情報を含む、請求項24に記載の装置。
【請求項２６】
前記指示情報は、
前記少なくとも一つの候補送信ビームに対応するビットから構成されるビットマップ形式を持ち、
各ビットは、
各候補送信ビームに対応する受信ビームが、最適の受信ビームであるか否かを指示する情報を含む、請求項24に記載の装置。
【請求項２７】
無線通信システムにおける端末の動作方法であって、
多数の送信ビームを用いて伝送される基準信号を基地局から受信する過程と、
多数の候補送信ビームの中から少なくとも一つの候補送信ビームに対する情報を前記基地局に伝送する過程と、
前記基地局から制御情報を受信する過程と、
前記基地局からデータを受信する過程と、を含み、
前記制御情報は、前記基地局による前記データの伝送のための第1の送信ビームに対する情報を含み、
前記制御情報は、第2の送信ビームを用いて前記基地局から伝送され、
前記データは、前記第1の送信ビームを用いて前記基地局から伝送される、方法。
【請求項２８】
前記少なくとも一つの送信ビームは、
前記基地局によって前記少なくとも一つの候補送信ビームに対する情報に基づいて前記多数の送信ビームの中から選択され、
前記少なくとも一つの送信ビームは、前記第1の送信ビームと前記第2の送信ビームを含む、
請求項27に記載の方法。
【請求項２９】
前記基準信号の受信信号強度によって前記多数の送信ビームの中から前記多数の候補送信ビームを選択する過程をさらに含む、請求項28に記載の方法。
【請求項３０】
前記多数の送信ビームを用いて伝送される前記基準信号の受信信号強度は、
予め定められた基準値より大きい、請求項29に記載の方法。
【請求項３１】
前記少なくとも一つの候補送信ビームに対する情報に基づいて、前記多数の送信ビームの中から一つの送信ビームが前記第2の送信ビームとして選択され、
前記少なくとも一つの候補送信ビームに対する情報に基づいて、前記多数の送信ビームの中からもう一つの送信ビームが前記第1の送信ビームとして選択され、
前記一つの送信ビームを用いて伝送される前記基準信号の受信信号強度は、
最大の受信信号強度を含む、請求項30に記載の方法。
【請求項３２】
前記少なくとも一つの候補送信ビームに対する情報に基づいて、前記多数の送信ビームの中から一つの送信ビームが前記第1の送信ビームと前記第2の送信ビームとして選択され、
前記一つの送信ビームを用いて伝送されている前記基準信号の受信信号強度は、
最大の受信信号強度を含む、請求項30に記載の方法。
【請求項３３】
前記少なくとも一つの候補送信ビームに対する情報に基づいて、前記多数の送信ビームの中から一つの送信ビームが前記第2の送信ビームとして選択され、
前記少なくとも一つの候補送信ビームに対する情報に基づいて、前記多数の送信ビームの中からもう一つの送信ビームが前記第1の送信ビームとして選択される、請求項30に記載の方法。
【請求項３４】
前記制御情報は、
前記第1の送信ビームのためのビームインデックスを含む、請求項27に記載の方法。
【請求項３５】
前記制御情報は、
以前に伝送された制御情報を更新するための情報を含む、請求項27に記載の方法。
【請求項３６】
前記制御情報は、
データ伝送のための資源の割り当て情報をさらに含む、請求項27に記載の方法。
【請求項３７】
前記少なくとも一つの候補送信ビームに対応する前記端末での一つ以上の受信ビームを指示する指示情報を送信する過程をさらに含む、請求項27に記載の方法。
【請求項３８】
前記指示情報は、
前記少なくとも一つの候補送信ビームのうちの任意のビームが、最適の受信ビームに対応するか否かを指示する情報を含む、請求項37に記載の方法。
【請求項３９】
前記指示情報は、
前記少なくとも一つの候補送信ビームに対応するビットから構成されるビットマップ形式を持ち、
各ビットは、
各候補送信ビームに対応する受信ビームが、最適の受信ビームであるか否かを指示する情報を含む、請求項37に記載の方法。
【請求項４０】
無線通信システムにおける端末の装置であって、
受信機と、
送信機と、を含み、
前記受信機は、多数の送信ビームを用いて伝送される基準信号を基地局から受信し、
前記送信機は、多数の候補送信ビームの中から少なくとも一つの候補送信ビームに対する情報を前記基地局に伝送し、
前記受信機は、前記基地局から制御情報を受信し、前記基地局からデータを受信し、
前記制御情報は、前記基地局による前記データの伝送のための第1の送信ビームに対する情報を含み、
前記制御情報は、第2の送信ビームを用いて前記基地局から伝送され、
前記データは、前記第1の送信ビームを用いて前記基地局から伝送される、装置。
【請求項４１】
前記少なくとも一つの送信ビームは、
前記基地局によって前記少なくとも一つの候補送信ビームに対する情報に基づいて前記多数の送信ビームの中から選択され、
前記少なくとも一つの送信ビームは、前記第1の送信ビームと前記第2の送信ビームを含む、
請求項40に記載の装置。
【請求項４２】
前記基準信号の受信信号強度によって前記多数の送信ビームの中から前記多数の候補送信ビームを選択する制御部をさらに含む、請求項41に記載の装置。
【請求項４３】
前記多数の送信ビームを用いて伝送される前記基準信号の受信信号強度は、
予め定められた基準値より大きい、請求項42に記載の装置。
【請求項４４】
前記少なくとも一つの候補送信ビームに対する情報に基づいて、前記多数の送信ビームの中から一つの送信ビームが前記第2の送信ビームとして選択され、
前記少なくとも一つの候補送信ビームに対する情報に基づいて、前記多数の送信ビームの中からもう一つの送信ビームが前記第1の送信ビームとして選択され、
前記一つの送信ビームを用いて伝送される前記基準信号の受信信号強度は、
最大の受信信号強度を含む、請求項43に記載の装置。
【請求項４５】
前記少なくとも一つの候補送信ビームに対する情報に基づいて、前記多数の送信ビームの中から一つの送信ビームが前記第1の送信ビームと前記第2の送信ビームとして選択され、
前記一つの送信ビームを用いて伝送される前記基準信号の受信信号強度は、
最大の受信信号強度を含む、請求項43に記載の装置。
【請求項４６】
前記少なくとも一つの候補送信ビームに対する情報に基づいて、前記多数の送信ビームの中から一つの送信ビームが前記第2の送信ビームとして選択され、
前記少なくとも一つの候補送信ビームに対する情報に基づいて、前記多数の送信ビームの中からもう一つの送信ビームが前記第1の送信ビームとして選択される、請求項43に記載の装置。
【請求項４７】
前記制御情報は、
前記第1の送信ビームのためのビームインデックスを含む、請求項40に記載の装置。
【請求項４８】
前記制御情報は、
以前に伝送された制御情報を更新するための情報を含む、請求項40に記載の装置。
【請求項４９】
前記制御情報は、
データ伝送のための資源の割り当て情報をさらに含む、請求項40に記載の装置。
【請求項５０】
前記送信機は、
前記少なくとも一つの候補送信ビームに対応する前記端末での一つ以上の受信ビームを指示する指示情報を送信する、請求項40に記載の装置。
【請求項５１】
前記指示情報は、
前記少なくとも一つの候補送信ビームのうちの任意のビームが、最適の受信ビームに対応するか否かを指示する情報を含む、請求項50に記載の装置。
【請求項５２】
前記指示情報は、
前記少なくとも一つの候補送信ビームに対応するビットから構成されるビットマップ形式を持ち、
各ビットは、
各候補送信ビームに対応する受信ビームが、最適の受信ビームであるか否かを指示する情報を含む、請求項50に記載の装置。